(57)【要約】【課題】他人への情報の漏洩を防止しつつ電子的表示手段による情報表示を行うことを可能にする。【解決手段】正規画像投影処理を実行する（ステップＳ１）。正規画像とは、投影用画像データに基づく投影である。１／６０秒が経過したならば、反転画像データを生成し（ステップＳ４）、この反転画像データに基づく反転画像を投影する（ステップＳ５）。ここで、反転画像データとは、その直前に投影表示された正規画像を表示させる画像データに加算したならば、０〜２５５の明度において、Ｒ（赤）＝２５５、Ｇ（緑）＝２５５、Ｂ（青）＝２５５、となる反転画像２０４を投影表示させることのできる画像データである。したがって、眼鏡１００を装着していない他人が投影されいる画像を盗み見ようとした場合、当該他人の網膜には、６０ｆｐｓのタイミングで正規画像と反転画像とが交互に結像され、前記他人は正規画像を視認することができない。【選択図】図２
2015060206.tif 000002
【特許請求の範囲】
【請求項１】
正規画像と、この正規画像に加算した場合において当該正規画像が視認不可能となる反転画像とを交互に表示する表示装置と、
前記正規画像を視認する視認者と前記表示装置との間に介在し、前記視認者が前記表示装置に表示される画像を視認可能な開状態と視認不可能な閉状態とに動作する介在装置と、
前記表示装置が前記正規画像を表示する際には前記介在装置を開状態に駆動し、前記反転画像を表示する際には閉状態に駆動する制御装置と
を備えることを特徴とする表示システム。
【請求項２】
前記表示装置は、正規画像と、この正規画像に加算した場合において明度が最大値となる反転画像とを交互に表示することを特徴とする請求項１記載の表示システム。
【請求項３】
前記表示装置は、前記正規画像と反転画像とを投影により表示することを特徴とする請求項１又は２記載の表示システム。
【請求項４】
前記介在装置は、前記視認者に装着される眼鏡であることを特徴とする請求項１、２又は３記載の表示システム。
【請求項５】
前記正規画像は、色彩を有する画像であり、前記反転画像は、前記正規画像に加算した場合において、加算により生成された画像の色要素の各明度の値が最大値となるような色彩を有する画像であることを特徴とする請求項１から４にいずれか記載の表示システム。
【請求項６】
前記色要素とは、赤、緑、青であることを特徴とする請求項５記載の表示システム。
【請求項７】
正規画像と、この正規画像に加算した場合において当該正規画像が視認不可能となる反転画像とを交互に表示する表示装置と、前記正規画像を視認する視認者と前記表示装置との間に介在し、前記視認者が前記表示装置に表示される画像を視認可能な開状態と視認不可能な閉状態とに動作する介在装置と備えるシステム。が有するコンピュータを、
前記表示装置が前記正規画像を表示する際には前記介在装置を開状態に駆動し、前記反転画像を表示する際には閉状態に駆動する制御装置と
して機能させることを特徴とする前記コンピュータが読み取り可能なプログラム。
【請求項８】
正規画像と、この正規画像に加算した場合において当該正規画像が視認不可能となる反転画像とを交互に表示手段に表示する表示ステップと、
前記正規画像を視認する視認者と前記表示手段との間に介在し、前記視認者が前記表示手段に表示される画像を視認可能な開状態と視認不可能な閉状態とに動作する介在ステップと、
前記表示手段が前記正規画像を表示する際には前記介在手段を開状態に駆動し、前記反転画像を表示する際には閉状態に駆動する制御ステップと
を含むことを特徴とする表示制御方法。
【請求項９】
表示される画像を視認可能な開状態と視認不可能な閉状態とに動作する介在装置を備える表示システムに用いられる表示装置であって、
正規画像と、この正規画像に加算した場合において当該正規画像が視認不可能となる反転画像とを交互に表示する表示手段と、
前記介在装置が開状態に動作した際には前記表示手段に前記正規画像を表示させ、閉状態に動作した際には前記反転画像を表示させる制御手段と
を備えることを特徴とする表示装置。
【請求項１０】
前記表示手段は、正規画像と、この正規画像に加算した場合において明度が最大値となる反転画像とを交互に表示することを特徴とする請求項９記載の表示装置。
【請求項１１】
前記正規画像と反転画像とを投影により表示することを特徴とする請求項９又は１０記載の表示装置。
【請求項１２】
前記正規画像は、色彩を有する画像であり、前記反転画像は、前記正規画像に加算した場合において、加算により生成された画像の色要素の各明度の値が最大値となるような色彩を有する画像であることを特徴とする請求項９、１０又は１１記載の表示装置。
【請求項１３】
前記色要素とは、赤、緑、青であることを特徴とする請求項１２記載の表示装置。
【請求項１４】
正規画像と、この正規画像に加算した場合において当該正規画像が視認不可能となる反転画像とを交互に表示する表示装置を備える表示システムに用いられる介在装置であって、
前記正規画像を視認する視認者と前記表示装置との間に介在し、前記視認者が前記表示装置に表示される画像を視認可能な開状態と視認不可能な閉状態とに動作する介在手段と、
前記表示装置が前記正規画像を表示する際には前記介在手段を開状態に駆動し、前記反転画像を表示する際には閉状態に駆動する制御手段と
を備えることを特徴とする介在装置。
【請求項１５】
前記視認者に装着される眼鏡であることを特徴とする請求項１４記載の介在装置。
【発明の詳細な説明】
【技術分野】
【０００１】
本発明は、表示システム、該表示システムを制御するプログラム及び表示制御方法並びに表示装置、介在装置に関するものである。
【背景技術】
【０００２】
今日においては、電子的な表示技術の発達に伴い、パンフレット等の紙を媒体とした表示手段を用いることなく、電子的表示手段を用いて販売員や勧誘員が商品やサービスを説明する販売、勧誘形式が多く用いられるようになっている。例えば、保険勧誘員がモバイル型のプロジェクタ（例えば、特許文献１参照）を使用し、当該ユーザの個人情報を考慮した保険の内容を投影表示しつつ、勧誘を行うことも行われる。このような電子的な表示手段を用いる販売、勧誘形式によれば、表示用のデータを修正、変更する簡単な作業により、販売、勧誘の対象とするユーザ個人の情報を加味した各個人毎に異なる契約条件等を容易、且つ迅速に表示することができる。したがって、固定的に内容が印刷されているパンフレット等の紙を媒体とした表示手段を用いる販売、勧誘形式よりも優れた営業結果が得られると目されている。
【０００３】
【特許文献１】特開２００１−１９７２１７号公報
【発明の概要】
【発明が解決しようとする課題】
【０００４】
しかしながら、電子的表示手段を用いてユーザ個人の情報を加味し契約条件等を表示しつつ販売、勧誘を行うと、これを例えば喫茶店のような不特定多数が自由に出入りできる空間で行った場合、表示を盗み見られ個人情報が漏洩してしまうおそれがある。したがって、優れた営業結果が得られると目されていても、場所によっては電子的表示手段を用いた販売、勧誘を行うことができないのが実情であった。
【０００５】
本発明は、かかる実情に鑑みてなされたものであり、他人への情報の漏洩を防止しつつ電子的表示手段による情報表示を行うことができる表示システム、該表示システムの制御プログラム及び表示制御方法並びに表示装置、介在装置を提供することを目的とする。
【課題を解決するための手段】
【０００６】
前記課題を解決するため本発明に係る表示システムは、正規画像と、この正規画像に加算した場合において当該正規画像が視認不可能となる反転画像とを交互に表示する表示装置と、前記正規画像を視認する視認者と前記表示装置との間に介在し、前記視認者が前記表示装置に表示される画像を視認可能な開状態と視認不可能な閉状態とに動作する介在装置と、前記表示装置が前記正規画像を表示する際には前記介在装置を開状態に駆動し、前記反転画像を表示する際には閉状態に駆動する制御装置とを備えることを特徴とする。
【０００７】
また、本発明に係るプログラムは、正規画像と、この正規画像に加算した場合において当該正規画像が視認不可能となる反転画像とを交互に表示する表示装置と、前記正規画像を視認する視認者と前記表示装置との間に介在し、前記視認者が前記表示装置に表示される画像を視認可能な開状態と視認不可能な閉状態とに動作する介在装置と備えるシステム。が有するコンピュータを、前記表示装置が前記正規画像を表示する際には前記介在装置を開状態に駆動し、前記反転画像を表示する際には閉状態に駆動する制御装置として機能させることを特徴とする。
【０００８】
また、本発明に係る表示制御方法は、正規画像と、この正規画像に加算した場合において当該正規画像が視認不可能となる反転画像とを交互に表示手段に表示する表示ステップと、前記正規画像を視認する視認者と前記表示手段との間に介在し、前記視認者が前記表示手段に表示される画像を視認可能な開状態と視認不可能な閉状態とに動作する介在ステップと、前記表示手段が前記正規画像を表示する際には前記介在手段を開状態に駆動し、前記反転画像を表示する際には閉状態に駆動する制御ステップとを含むことを特徴とする。
【０００９】
また、本発明に係る表示装置は、表示される画像を視認可能な開状態と視認不可能な閉状態とに動作する介在装置を備える表示システムに用いられる表示装置であって、正規画像と、この正規画像に加算した場合において当該正規画像が視認不可能となる反転画像とを交互に表示する表示手段と、前記介在装置が開状態に動作した際には前記表示手段に前記正規画像を表示させ、閉状態に動作した際には前記反転画像を表示させる制御手段とを備えることを特徴とする。
【００１０】
また、本発明に係る介在装置は、正規画像と、この正規画像に加算した場合において当該正規画像が視認不可能となる反転画像とを交互に表示する表示装置を備える表示システムに用いられる介在装置であって、前記正規画像を視認する視認者と前記表示装置との間に介在し、前記視認者が前記表示装置に表示される画像を視認可能な開状態と視認不可能な閉状態とに動作する介在手段と、前記表示装置が前記正規画像を表示する際には前記介在手段を開状態に駆動し、前記反転画像を表示する際には閉状態に駆動する制御手段と
【００１１】
を備えることを特徴とする。
【発明の効果】
【００１２】
本発明によれば、他人への情報の漏洩を防止しつつ電子的表示手段による情報表示を行うことができる。したがって、不特定多数が自由に出入りできる空間であっても、盗み見による個人情報の漏洩なく、販売、勧誘の対象とするユーザ個人の情報を加味した各個人毎に異なる契約条件等を容易、且つ迅速に表示することができる。
【図面の簡単な説明】
【００１３】
【図１】本発明の一実施の形態に係る表示システムを構成するプロジェクタの回路構成を示すブロック図である。
【図２】本実施の形態における処理手順を示すフローチャートである。
【図３】正規画像、反転画像及びこれらを加算した画像を示す説明図である。
【発明を実施するための形態】
【００１４】
以下、本発明の一実施の形態を図に従って説明する。
図１は、本発明の一実施の形態に係る表示システムを構成するプロジェクタ１の電気的構成を示すブロック図である。このプロジェクタ１は、充電可能なバッテリ２９を電源として動作するものであって、バッテリ充電回路３３、電圧検出回路２８、制御部１１、入出力インターフェイス１２、画像変換部１３、表示エンコーダ１４、表示駆動部１５等を有する。
【００１５】
バッテリ２９は、プロジェクタ１の各部に電力を供給する。バッテリ充電回路３３は交流電源に接続され、交流電流を直流電流に変換し、バッテリ２９に対して充電を行う回路であり、電圧検出回路２８は、バッテリ２９の電圧を検出する回路である。
【００１６】
前記入出力コネクタ部１６から入力された各種規格の画像信号（画像データ）は、入出力インターフェイス１２、システムバス１７を介して、画像変換部１３で表示に適した所定フォーマットの画像信号に統一するように変換された後、表示エンコーダ１４に送られる。表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００１７】
表示エンコーダ１４からビデオ信号が入力される表示駆動部１５は、送られてきた画像信号に対応して適宜フレームレート（本実施の形態においては「６０ｆｐｓ」とする）で空間的光変調素子（ＳＯＭ）である表示素子１９を駆動する。そして、ランプを有する光源装置２０から射出された光線束を、光源側光学系を介して表示素子１９に入射することにより、表示素子１９の反射光で光像を形成し、投影側光学系とする可動レンズ群２１を介して図示しない適宜のスクリーンに画像を投影表示する。この投影側光学系の可動レンズ群２１は、レンズモータ２２によりズーム調整やフォーカス調整のための駆動が行われる。前記光源装置２０は、Ｒ（赤）色を発光するＲ−ＬＥＤ２０Ｒ、Ｇ（緑）色を発光するＧ−ＬＥＤ２０Ｇ、及びＢ（青）色を発光するＢ−ＬＥＤ２０Ｂで構成されている。
【００１８】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出して、静止画あるいは一連の動画を構成する個々の画像データを１フレーム単位で伸張して画像変換部１３を介して表示エンコーダ１４に送り、メモリカード２４に記憶された画像データに基づいて動画等の表示を可能にするものである。
【００１９】
制御部１１は、プロジェクタ１内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００２０】
また、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。
【００２１】
キー／インジケータ部２５は、本体ケース等に設けられているメインキー及びインジケータ、当該プロジェクタ１の起動時に点灯するランプや表示部等により構成される。これらインジケータ等は制御部１１により表示及び点滅制御され、各種キーの操作信号は制御部１１に送出される。また、リモートコントローラからのキー操作信号は、Ｉｒ受信部２６で受信され、Ｉｒ処理部２７で復調されてコード信号が制御部１１に送られる。
【００２２】
前記入出力コネクタ部１６には、投影に伴ってスクリーンに表示される画像を観賞する際に鑑賞者が装着するための眼鏡１００が接続されている。この眼鏡１００は、受信部１０１と、シャッター制御部１０２と、右眼用シャッター１０３と、左眼用シャッター１０４とを備える。受信部１０１は、右眼用シャッター１０３及び左眼用シャッター１０４の開閉タイミングを決定するために用いる、制御部１１から送信された同期信号を受信し、受信した同期信号をシャッター制御部１０２へ出力する。
【００２３】
シャッター制御部３３０は、同期信号に基づく開閉タイミングで右眼用シャッター１０３及び左眼用シャッター１０４の開閉を制御する。但し、本実施の形態に係る眼鏡１００にあっては、３Ｄ画像を観賞する際に用いられる眼鏡とは異なり、右眼用シャッター１０３と左眼用シャッター１０４とを交互に開閉するのではなく、両シャッター１０３，１０４を同時に開閉する。なお、図においては、単一の眼鏡１００が接続されている状態を示したが、入出力コネクタ部１６に複数の眼鏡１００を接続することが可能である。
【００２４】
以上の構成に係る本実施の形態において、商品やサービスの販売、勧誘を行おうとする勧誘員等は、勧誘等に際して予めパソコンで投影すべき資料を作成し、投影用画像データとしてＵＳＢメモリに保存する。このＵＳＢメモリを入出力コネクタ部１６に設けられたＵＳＢコネクタ接続すると、投影用画像データは、入出力インターフェイス１２、システムバス１７を介してＲＡＭ１１２に設けられている保持領域に記憶される。
【００２５】
このように、ＲＡＭ１１２に投影用画像データを格納し、勧誘等を行う対象者を同席させ当該対象者（以下、ユーザという）に眼鏡１００を装着させる。そして、キー／インジケータ部２５に設けられている電源キーを操作して電源を投入した後、投影スタートキーを操作すると、制御部１１はＲＯＭ１１１に記憶されているプログラムに基づき、図２のフローチャートに示すように処理を行う。
【００２６】
先ず、正規画像投影処理を実行する（ステップＳ１）。正規画像とは、前述のようにＲＡＭ１１２に格納されている投影用画像データに基づく投影である。すなわち、制御部１１はＲＡＭ１１２に格納されている投影用画像データを読み出し、画像変換部１３で変換し、表示エンコーダ１４により画像信号をビデオＲＡＭ１８に展開記憶させた上で、このビデオＲＡＭ１８の記憶内容からビデオ信号を生成して表示駆動部１５に出力する。表示駆動部１５が、送られてきた画像信号に対応して表示素子１９を駆動し、光源装置２０から射出された光線束を光源側光学系を介して表示素子１９に入射することにより、表示素子１９の反射光で光像を形成し、レンズ群２１を介して図示しないスクリーンに画像を投影する。このステップＳ１での処理により、図３に例示するように、明度が高い背景２０１とこれよりも明度が低いマーク２０２とからなる正規画像２０３が投影表示される。
【００２７】
また、このとき制御部１１は、入出力コネクタ部１６から同期信号を出力して、右眼用シャッター１０３と左眼用シャッター１０４とを共に開にする（ステップＳ２）。したがって、眼鏡１００を装着しているユーザは、両シャッター１０３，１０４により妨げられずに、眼鏡１００を介して正規画像２０３を視認することができる。
【００２８】
次に、制御部１１は投影フレームレートに基づき、画像の表示切替タイミングであるか否かを判断する（ステップＳ３）。本実施の形態においては、６０ｆｐｓとしたので、切替タイミングは１／６０秒であり、１／６０秒が経過したか否かを判断する。
【００２９】
１／６０秒が経過したならば、反転画像データを生成し（ステップＳ４）、この反転画像データに基づく反転画像を投影する（ステップＳ５）。ここで、反転画像データとは、図３に示すように、その直前に投影表示された正規画像２０３を表示させる画像データに加算したならば、０〜２５５の明度において、Ｒ（赤）＝２５５、Ｇ（緑）＝２５５、Ｂ（青）＝２５５、となる反転画像２０４を投影表示させることのできる画像データである。つまり、正規画像２０３の画像データをＲｆ、Ｇｆ、Ｂｆとすると、反転画像データＲｒ、Ｇｒ、Ｂｒは下記式で表される。
Ｒｒ＝２５５−Ｒｆ
Ｇｒ＝２５５−Ｇｆ
Ｂｒ＝２５５−Ｂｆ
【００３０】
そして、これらデータで構成される反転画像データを画像変換部１３で変換し、表示エンコーダ１４により画像信号をビデオＲＡＭ１８に展開記憶させた上で、このビデオＲＡＭ１８の記憶内容からビデオ信号を生成して表示駆動部１５に出力する。これにより、レンズ群２１を介してスクリーンに図３に示す反転画像２０４が投影表示されることとなる。
【００３１】
しかし、このとき制御部１１は、入出力コネクタ部１６から同期信号を出力して、右眼用シャッター１０３と左眼用シャッター１０４とを共に閉にする（ステップＳ６）。したがって、眼鏡１００を装着しているユーザは、両シャッター１０３，１０４により左右両眼の視界を妨げられ、反転画像２０４を視認することはできない。
【００３２】
次に、制御部１１は前述のステップＳ３と、画像の表示切替タイミングであるか否かを判断する（ステップＳ７）。切替タイミングでない場合には、キー／インジケータ部２５にての操作による投影終了指示があったか否かを判断する（ステップＳ８）。投影終了指示がない場合には、表示切替タイミングとなった時点でリターンしてステップＳ１からの処理を実行する。
【００３３】
したがって、投影終了指示があるまで、図３に示した正規画像２０３と反転画像２０４とがフレームレートに応じた周期で切替投影されて任意のスクリーン上に交互に表示される。しかし、両シャッター１０３，１０４は、正規画像２０３が投影表示されている状態では開いているが、反転画像２０４が投影表示されてい状態では閉じている。したがって、眼鏡１００を装着してスクリーン上の投影画像を視認しているユーザの網膜には、反転画像２０４は結像されず、正規画像２０３のみが１秒間に３０回（６０ｆｐｓ÷２）の頻度で結像される。よって、眼鏡１００を装着しているユーザは、正規画像２０３を支障なく視認することができる。
【００３４】
これに対し、眼鏡１００を装着していない他人が投影されいる画像を盗み見ようとした場合、当該他人の網膜には、６０ｆｐｓのタイミングで正規画像２０３と反転画像２０４とが交互に結像される。したがって、残像によって前のフレームである正規画像２０３がまだ見えているうちに、次のフレームである反転画像２０４が見えることになる。このため、正規画像２０３の輝度が反転画像２０４の輝度により相殺され、前記他人は正規画像２０３を視認することができない。
【００３５】
したがって、他人が正規画像２０３を視認することによる情報の漏洩を防止しつつ、前記ユーザには投影による情報表示を行うことができる。よって、喫茶店等の不特定多数が自由に出入りできる空間であっても、盗み見による個人情報の漏洩なく、販売、勧誘の対象とするユーザ個人の情報を加味した各個人毎に異なる契約条件等を容易、且つ迅速に表示することができる。
【００３６】
なお、本実施の形態においては、画像を投影表示するプロジェクタ１とに本発明を適用した場合を示したが、表示手段としてはこれに限ることなく、ＬＣＤ、ＣＲＴ等の他の装置を表示手段として用いるようにしてもよい。また、上述のフレームレートは、一例であって、表示手段として用いる装置あるいは用いる表示用データ等に応じて、適宜のフレームレートを採用すればよい。
【００３７】
また、本発明においては、左右の両シャッター１０３，１０４を同時に開閉するのであるから、左眼用と右眼用の左右の両シャッター１０３，１０４を個別に設ける必要はなく、ユーザの両眼の前を覆うシャッターを有する単一のパネルからなるバイザーやカバーとであってもよい。つまり、前記ユーザのみがシャッターを有する部材を介して表示される画像を視認することができる構成であれば、眼鏡でなくともよい。
例えば、眼鏡に代えてカメラ付きスマートフォンを用い、図２に示したフローチャートにおけるシャッター開のタイミング（ステップＳ２）で撮像を行い、シャッター閉タイミング（ステップＳ６）では、撮像を禁止するようにしてもよい。
【００３８】
また、実施の形態においては、その直前に投影表示された正規画像２０３を表示させる画像データに加算したならば、０〜２５５の明度において、Ｒ（赤）＝２５５、Ｇ（緑）＝２５５、Ｂ（青）＝２５５、となる反転画像２０４を用いるようにしたことから、正規画像２０３が他人により盗み見られることを確実に防止することができる。しかし、このように加算した場合にＲ、Ｇ、Ｂの各明度が全て最大値（＝２５５）になる反転画像２０４に限らず、いずれか一つが最大値になる画像等、正規画像に加算した場合に当該正規画像を他人が視認することが不可能となる画像であれば、如何なる画像を反転画像として用いるようにしてよい。
【００３９】
以上、本発明の実施形態について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
【００４０】
［請求項１］
正規画像と、この正規画像に加算した場合において当該正規画像が視認不可能となる反転画像とを交互に表示する表示装置と、
前記正規画像を視認する視認者と前記表示装置との間に介在し、前記視認者が前記表示装置に表示される画像を視認可能な開状態と視認不可能な閉状態とに動作する介在装置と、
前記表示装置が前記正規画像を表示する際には前記介在装置を開状態に駆動し、前記反転画像を表示する際には閉状態に駆動する制御装置と
を備えることを特徴とする表示システム。
【００４１】
［請求項２］
前記表示装置は、正規画像と、この正規画像に加算した場合において明度が最大値となる反転画像とを交互に表示することを特徴とする請求項１記載の表示システム。
【００４２】
［請求項３］
前記表示装置は、前記正規画像と反転画像とを投影により表示することを特徴とする請求項１又は２記載の表示システム。
【００４３】
［請求項４］
前記介在装置は、前記視認者に装着される眼鏡であることを特徴とする請求項１、２又は３記載の表示システム。
【００４４】
［請求項５］
前記正規画像は、色彩を有する画像であり、前記反転画像は、前記正規画像に加算した場合において、加算により生成された画像の色要素の各明度の値が最大値となるような色彩を有する画像であることを特徴とする請求項１から４にいずれか記載の表示システム。
【００４５】
［請求項６］
前記色要素とは、赤、緑、青であることを特徴とする請求項５記載の表示システム。
【００４６】
［請求項７］
正規画像と、この正規画像に加算した場合において当該正規画像が視認不可能となる反転画像とを交互に表示する表示装置と、前記正規画像を視認する視認者と前記表示装置との間に介在し、前記視認者が前記表示装置に表示される画像を視認可能な開状態と視認不可能な閉状態とに動作する介在装置と備えるシステム。が有するコンピュータを、
前記表示装置が前記正規画像を表示する際には前記介在装置を開状態に駆動し、前記反転画像を表示する際には閉状態に駆動する制御装置と
して機能させることを特徴とする前記コンピュータが読み取り可能なプログラム。
【００４７】
［請求項８］
正規画像と、この正規画像に加算した場合において当該正規画像が視認不可能となる反転画像とを交互に表示手段に表示する表示ステップと、
前記正規画像を視認する視認者と前記表示手段との間に介在し、前記視認者が前記表示手段に表示される画像を視認可能な開状態と視認不可能な閉状態とに動作する介在ステップと、
前記表示手段が前記正規画像を表示する際には前記介在手段を開状態に駆動し、前記反転画像を表示する際には閉状態に駆動する制御ステップと
を含むことを特徴とする表示制御方法。
【００４８】
［請求項９］
表示される画像を視認可能な開状態と視認不可能な閉状態とに動作する介在装置を備える表示システムに用いられる表示装置であって、
正規画像と、この正規画像に加算した場合において当該正規画像が視認不可能となる反転画像とを交互に表示する表示手段と、
前記介在装置が開状態に動作した際には前記表示手段に前記正規画像を表示させ、閉状態に動作した際には前記反転画像を表示させる制御手段と
を備えることを特徴とする表示装置。
【００４９】
［請求項１０］
前記表示手段は、正規画像と、この正規画像に加算した場合において明度が最大値となる反転画像とを交互に表示することを特徴とする請求項９記載の表示装置。
【００５０】
［請求項１１］
前記正規画像と反転画像とを投影により表示することを特徴とする請求項９又は１０記載の表示装置。
【００５１】
［請求項１２］
前記正規画像は、色彩を有する画像であり、前記反転画像は、前記正規画像に加算した場合において、加算により生成された画像の色要素の各明度の値が最大値となるような色彩を有する画像であることを特徴とする請求項９、１０又は１１記載の表示装置。
【００５２】
［請求項１３］
前記色要素とは、赤、緑、青であることを特徴とする請求項１２記載の表示装置。
【００５３】
［請求項１４］
正規画像と、この正規画像に加算した場合において当該正規画像が視認不可能となる反転画像とを交互に表示する表示装置を備える表示システムに用いられる介在装置であって、
前記正規画像を視認する視認者と前記表示装置との間に介在し、前記視認者が前記表示装置に表示される画像を視認可能な開状態と視認不可能な閉状態とに動作する介在手段と、
前記表示装置が前記正規画像を表示する際には前記介在手段を開状態に駆動し、前記反転画像を表示する際には閉状態に駆動する制御手段と
を備えることを特徴とする介在装置。
【００５４】
［請求項１５］
前記視認者に装着される眼鏡であることを特徴とする請求項１４記載の介在装置。
【符号の説明】
【００５５】
１    プロジェクタ
１１    制御部
１２    入出力インターフェイス
１５    表示駆動部
１６    入出力コネクタ部
１９    表示素子
２０    光源装置
２１    レンズ群
２５    キー／インジケータ部
１００    眼鏡
１０１    受信部
１０２    シャッター制御部
１０３    右眼用シャッター
１０４    左眼用シャッター
１１１    ＲＯＭ
１１２    ＲＡＭ
２０３    正規画像
２０４    反転画像
３３０    シャッター制御部
【図１】
2015060206.tif 000003
【図２】
2015060206.tif 000004
【図３】
2015060206.tif 000005